(57)【要約】【課題】自動取引装置の保守性が低下する可能性を低減する技術の提供が望まれる。【解決手段】取引に関連する所定の処理を実行する紙幣処理部２７０と、紙幣処理部２７０を収納可能な内部空間を形成する筐体３１０と、筐体３１０によって形成される内部空間に収納されて紙幣処理部２７０を支持する複数の支持部材３３０Ｌ、３３０Ｂ、３４０と、を備える、自動取引装置１０が提供される。【選択図】図１０
2016170551.tif 000002
【特許請求の範囲】
【請求項１】
取引に関連する所定の処理を実行する処理部と、
前記処理部を収納可能な内部空間を形成する筐体と、
前記筐体によって形成される前記内部空間に収納されて前記処理部を支持する複数の支持部材と、
を備える、自動取引装置。
【請求項２】
前記自動取引装置は、前記筐体および前記複数の支持部材それぞれに対して取り付けられて前記内部空間の内側と外側との間で前記処理部を移動させることが可能な第１のスライドレールおよび第２のスライドレールを備える、
請求項１に記載の自動取引装置。
【請求項３】
前記複数の支持部材それぞれの端のうち一端は、前記第１のスライドレールに固定され、前記複数の支持部材それぞれの端のうち前記一端とは異なる他端は、前記第２のスライドレールに固定される、
請求項２に記載の自動取引装置。
【請求項４】
前記複数の支持部材それぞれの前記一端は、前記第１のスライドレールに対して第１の固定具によって固定され、前記複数の支持部材それぞれの前記他端は、前記第２のスライドレールに対して第２の固定具によって固定される、
請求項３に記載の自動取引装置。
【請求項５】
前記複数の支持部材それぞれは、前記第１の固定具が挿通する第１の孔部および前記第２の固定具が挿通する第２の孔部を有し、
前記第１のスライドレールは、前記第１の固定具が挿通する第１の挿通孔を有し、
前記第２のスライドレールは、前記第２の固定具が挿通する第２の挿通孔を有する、
請求項４に記載の自動取引装置。
【請求項６】
前記第１の孔部、前記第２の孔部、前記第１の挿通孔および前記第２の挿通孔の少なくともいずれか一つは、前記複数の支持部材の短手方向より長手方向に大きい、
請求項５に記載の自動取引装置。
【請求項７】
前記処理部は、下面に溝部を有しており、
前記複数の支持部材の少なくとも１の支持部材は、前記溝部と係合する、
請求項１に記載の自動取引装置。
【請求項８】
前記複数の支持部材の少なくとも１の支持部材には、前記処理部が載置される、
請求項１に記載の自動取引装置。
【請求項９】
前記処理部は、前記取引として出金処理が実行されるに際して紙幣を処理する紙幣処理部を少なくとも含む、
請求項１に記載の自動取引装置。
【請求項１０】
前記処理部は、前記取引が実行されるに際して前記自動取引装置の動作を制御する制御部を少なくとも含む、
請求項１に記載の自動取引装置。
【請求項１１】
前記処理部は、前記取引の明細を示す取引明細票を印刷して出力するレシートプリンタを少なくとも含む、
請求項１に記載の自動取引装置。
【請求項１２】
前記処理部は、前記取引として入金処理または出金処理が実行されるに際して、入金される紙幣を収納し、または、出金される紙幣を繰り出すカセットを少なくとも含む、
請求項１に記載の自動取引装置。
【発明の詳細な説明】
【技術分野】
【０００１】
本発明は、自動取引装置に関する。
【背景技術】
【０００２】
従来、操作者による操作に従って自動的に取引を行う自動取引装置が知られている。自動取引装置の筐体には、媒体を収納するカセットなどが存在するため、自動取引装置の筐体はサイズが大きくなり易い。そこで、自動取引装置のサイズを小さくすることが要求されている。例えば、自動取引装置の筐体内の部材位置を変更することによって自動取引装置の筐体のサイズを小さくする技術が開示されている（例えば、特許文献１参照。）。
【先行技術文献】
【特許文献】
【０００３】
【特許文献１】特開平１０−７９０６９号公報
【発明の概要】
【発明が解決しようとする課題】
【０００４】
ところで、自動取引装置の筐体内部には、各種の処理部が存在する。ここで、処理部の下面全体に接触する単一の支持部材が利用される場合、支持部材に撓みが生じやすい。また、支持部材の撓みによって自動取引装置の保守性が低下する可能性がある。そこで、自動取引装置の保守性が低下する可能性を低減する技術の提供が望まれる。
【課題を解決するための手段】
【０００５】
上記問題を解決するために、本発明のある観点によれば、取引に関連する所定の処理を実行する処理部と、前記処理部を収納可能な内部空間を形成する筐体と、前記筐体によって形成される前記内部空間に収納されて前記処理部を支持する複数の支持部材と、を備える、自動取引装置が提供される。
【０００６】
前記自動取引装置は、前記筐体および前記複数の支持部材それぞれに対して取り付けられて前記内部空間の内側と外側との間で前記処理部を移動させることが可能な第１のスライドレールおよび第２のスライドレールを備えてよい。
【０００７】
前記複数の支持部材それぞれの端のうち一端は、前記第１のスライドレールに固定され、前記複数の支持部材それぞれの端のうち前記一端とは異なる他端は、前記第２のスライドレールに固定されてよい。
【０００８】
前記複数の支持部材それぞれの前記一端は、前記第１のスライドレールに対して第１の固定具によって固定され、前記複数の支持部材それぞれの前記他端は、前記第２のスライドレールに対して第２の固定具によって固定されてよい。
【０００９】
前記複数の支持部材それぞれは、前記第１の固定具が挿通する第１の孔部および前記第２の固定具が挿通する第２の孔部を有し、前記第１のスライドレールは、前記第１の固定具が挿通する第１の挿通孔を有し、前記第２のスライドレールは、前記第２の固定具が挿通する第２の挿通孔を有してよい。
【００１０】
前記第１の孔部、前記第２の孔部、前記第１の挿通孔および前記第２の挿通孔の少なくともいずれか一つは、前記複数の支持部材の短手方向より長手方向に大きくてよい。
【００１１】
前記処理部は、下面に溝部を有しており、前記複数の支持部材の少なくとも１の支持部材は、前記溝部と係合してよい。
【００１２】
前記複数の支持部材の少なくとも１の支持部材には、前記処理部が載置されてよい。
【００１３】
前記処理部は、前記取引として出金処理が実行されるに際して紙幣を処理する紙幣処理部を少なくとも含んでよい。
【００１４】
前記処理部は、前記取引が実行されるに際して前記自動取引装置の動作を制御する制御部を少なくとも含んでよい。
【００１５】
前記処理部は、前記取引の明細を示す取引明細票を印刷して出力するレシートプリンタを少なくとも含んでよい。
【００１６】
前記処理部は、前記取引として入金処理または出金処理が実行されるに際して、入金される紙幣を収納し、または、出金される紙幣を繰り出すカセットを少なくとも含んでよい。
【発明の効果】
【００１７】
以上説明したように本発明によれば、自動取引装置の保守性が低下する可能性を低減することが可能となる。
【図面の簡単な説明】
【００１８】
【図１】一般的な支持部材の分解斜視図である。
【図２】一般的な支持部材に紙幣処理部が載置された様子を示す正面図である。
【図３】一般的な支持部材に紙幣処理部が載置された様子を示す右側面図である。
【図４】一般的な支持部材を用いた場合に生じ得る一つ目の状況について説明する図である。
【図５】一般的な支持部材を用いた場合に生じ得る二つ目の状況について説明する図である。
【図６】本発明の実施形態に係る自動取引装置の外観例を示す図である。
【図７】本発明の実施形態に係る自動取引装置の筐体内部の概略構成図である。
【図８】本発明の実施形態に係る複数の支持部材とスライドレールとの分解斜視図である。
【図９】本発明の実施形態に係る複数の支持部材とスライドレールとの組み立て後の分解斜視図である。
【図１０】本発明の実施形態に係る複数の支持部材とスライドレールとの組み立て後の分解斜視図である。
【図１１】本発明の実施形態に係る複数の支持部材に紙幣処理部が載置された様子を示す右側面図である。
【図１２】本発明の実施形態に係る複数の支持部材に紙幣処理部が載置された様子を示す平面図である。
【図１３】支持部材の右側スライドレールへの連結部位の拡大図である。
【図１４】支持部材の左側スライドレールへの連結部位の拡大図である。
【図１５】支持部材の右側スライドレールへの連結部位の拡大図である。
【図１６】支持部材の断面形状の第１の変形例を示す図である。
【図１７】支持部材の断面形状の第２の変形例を示す図である。
【図１８】支持部材の断面形状の第３の変形例を示す図である。
【発明を実施するための形態】
【００１９】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２０】
また、本明細書および図面において、実質的に同一の機能構成を有する複数の構成要素を、同一の符号の後に異なる数字を付して区別する。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００２１】
（０．背景）
まず、本発明の実施形態の背景について説明する。なお、以下の説明においては、紙幣処理部を有する自動取引装置を操作者が操作する場合に、自動取引装置を基準として操作者が存在する方向を「前」とし、自動取引装置を基準として操作者が存在する方向とは反対方向を「後」とする。また、自動取引装置の操作者から見て右方向および左方向をそれぞれ「右」および「左」とし、自動取引装置の操作者から見て上方向および下方向をそれぞれ「上」および「下」とする。
【００２２】
図１は、一般的な支持部材の分解斜視図である。図１に示したように、支持部材９２１は、図示しないカセットから繰り出された紙幣を受け取る紙幣受取口９２３を備える。また、支持部材９２１は、長手方向が前後方向に配置されるように筐体（図２参照）に取り付けられた第１のスライドレール（以下、「左側スライドレール」とも言う。）９３１Ｌおよび第２のスライドレール（以下、「右側スライドレール」とも言う。）９３１Ｒに固定される。
【００２３】
紙幣処理部８７０は、取引として出金処理が実行されるに際して紙幣を処理する機能を有している。より具体的には、紙幣処理部８７０は、図示しない紙幣挿入口を備えており、紙幣受取口９２３および図示しない紙幣挿入口を介して挿入された紙幣を集積する。そして、紙幣処理部８７０は、集積した紙幣を認識する。また、紙幣処理部８７０は、紙幣排出口８７１を備えており、認識した紙幣を紙幣排出口８７１から排出する。紙幣排出口８７１から排出された紙幣は、図示しない紙幣投入口に搬送される。
【００２４】
紙幣処理部８７０は、管理者によって（例えば、方向Ｄ０に下降されることによって）支持部材９２１の上に載置される。図２は、一般的な支持部材９２１に紙幣処理部８７０が載置された様子を示す正面図である。図２に示すように、紙幣処理部８７０が支持部材９２１の上に載置された状態においては、紙幣処理部８７０は、左側スライドレール９３１Ｌおよび右側スライドレール９３１Ｒのスライド機構により、支持部材９２１ともに前後方向に移動され得る。かかる機構により、管理者は、紙幣処理部８７０を筐体３１０の内側に収納したり、筐体３１０の外側に取り出したりすることが可能である。
【００２５】
図３は、一般的な支持部材９２１に紙幣処理部８７０が載置された様子を示す右側面図である。ただし、図３に示した右側面図では、筐体３１０が省略されている。ここで、一般的には、図１〜図３に示したような支持部材９２１が利用されているが、かかる支持部材９２１には、各種の改善の余地がある。図４および図５を用いて、これらの改善の余地について説明する。図４は、一般的な支持部材９２１を用いた場合に生じ得る一つ目の状況について説明する図である。
【００２６】
図４に示すように、紙幣処理部８７０の下面全体に接触する単一の支持部材９２１が利用される場合には、紙幣処理部８７０から支持部材９２１に与えられる荷重Ｗ０が分散されないため、支持部材９２１に撓みが生じやすい。また、支持部材９２１の撓みによって自動取引装置の保守性（または耐久性）が低下する可能性がある。また、紙幣処理部８７０の下面全体に接触する単一の支持部材９２１が利用される場合には、支持部材９２１の重量が大きくなってしまうため、支持部材９２１の組み立て作業などに要する負荷が大きくなってしまう。
【００２７】
また、紙幣処理部８７０の下面全体に接触する単一の支持部材９２１が利用される場合には、支持部材９２１を形成するために多くの材料が必要となるため、支持部材９２１の単価が高くなってしまう。加えて、一つ当たりの支持部材９２１を製造するために多くの材料が必要となるため、材料単位量当たりに製造される支持部材９２１の数が少なくなってしまうという製造性の低下が生じ得る。続いて、一般的な支持部材９２１を用いた場合に生じ得る二つ目の状況について説明する図である。
【００２８】
図５は、一般的な支持部材９２１を用いた場合に生じ得る二つ目の状況について説明する図である。図５に示すように、筐体３１０に左側スライドレール９３１Ｌおよび右側スライドレール９３１Ｒが取り付けられる場合、左側スライドレール９３１Ｌと右側スライドレール９３１Ｒとの距離Ｔ１には、筐体３１０のサイズなどに応じてばらつきが生じ得る。そのため、図４に示したように、左側スライドレール９３１Ｌと右側スライドレール９３１Ｒとの間に挟み込むようにして支持部材９２１を固定する形態では、支持部材９２１が歪んでしまったり、支持部材９２１が浮いてしまったりする可能性がある。
【００２９】
以上に説明したように、一般的な支持部材９２１には、各種の改善の余地がある。そこで、本明細書においては、一般的な支持部材９２１を用いた場合に生じ得る一つ目の状況および二つ目の状況を改善する技術を主に説明する。より具体的には、本明細書においては、自動取引装置の保守性が低下する可能性を低減する技術を説明する。また、例えば、本明細書においては、支持部材９２１の組み立て作業などに要する負荷を低減し、支持部材９２１の単価を抑え、支持部材９２１が歪んでしまったり、支持部材９２１が浮いてしまったりする可能性を低減する技術を説明する。
【００３０】
以上、本発明の実施形態の背景について説明した。
【００３１】
（１．自動取引装置の概要）
続いて、本発明の実施形態に係る自動取引装置１０の概要について説明する。なお、自動取引装置１０の典型的な例としては、ＡＴＭ（Ａｕｔｏｍａｔｅｄ  ｔｅｌｌｅｒ  ｍａｃｈｉｎｅ）が挙げられるが、本発明の実施形態に係る自動取引装置１０は、かかる例に限定されない。本発明の実施形態に係る自動取引装置１０は、操作者からの入力情報を受け付ける操作部を有する装置であればよい。また、自動取引装置１０が設置される場所も限定されず、コンビニエンスストアであってもよいし、銀行の店舗であってもよい。
【００３２】
図６は、本発明の実施形態に係る自動取引装置１０の外観例を示す図である。図６に示すように、自動取引装置１０は、フロントパネル２０と、背面ミラー３０と、操作パネル４０と、媒体挿入口５０と、レシート排出口６０と、操作部７０と、紙幣投入口８０とを備える。また、図６に示すように、自動取引装置１０は、認証部９１と、バーコードリーダ９２と、非接触ＩＣカードリーダ１００と、前面扉１１０と、金庫部１２０とを備える。
【００３３】
フロントパネル２０は、自動取引装置１０のフロント面に存在するパネルである。フロントパネル２０の左右に形成されている壁によって他人に操作部７０が見られるのを防止することが可能である。背面ミラー３０は、操作者の背後に立つ他人の状況を操作者が確認するためのミラーである。背面ミラー３０には、操作者の背後に立つ他人の状況を撮像して記録する監視カメラが設けられていてもよい。操作パネル４０は、タッチパネルおよび表示部を有している。表示部は、ＬＣＤ（Ｌｉｑｕｉｄ  Ｃｒｙｓｔａｌ  Ｄｉｓｐｌａｙ）であってよい。
【００３４】
媒体挿入口５０には、操作者から媒体が挿入される。また、媒体挿入口５０からは、操作者に媒体が排出される。ここで、媒体の種類は特に限定されない。例えば、媒体は、カードであってもよいし、通帳であってもよい。また、媒体には、媒体読取装置２４０によって読み取られるデータ（例えば、磁気データなど）が記録されている。媒体に記録されているデータは、操作者に関する情報（例えば、銀行コード、店舗コード、口座番号など）を含んでよい。
【００３５】
レシート排出口６０からは、取引明細票としてのレシートが排出される。操作部７０は、取引に関する情報の入力を操作者から受け付ける機能を有する。例えば、操作部７０は、暗証情報の入力を操作者から受け付けるピンパッドであってよい。紙幣投入口８０には、操作者から紙幣が投入される。また、紙幣投入口８０からは、操作者に紙幣を排出される。認証部９１は、操作者の生体情報に対する認証を行う機能を有する。操作者の生体情報は、指の静脈であってもよいし、掌の静脈であってもよい。
【００３６】
バーコードリーダ９２は、バーコードを読み取る機能を有する。非接触ＩＣカードリーダ１００は、非接触ＩＣカードに記録されたデータを読み取る機能を有する。前面扉１１０は、自動取引装置１０のフロント面に存在する扉である。前面扉１１０が開いている状態においては、自動取引装置１０の外部から金庫部１２０へのアクセスが可能である。一方、前面扉１１０が閉まっている状態においては、自動取引装置１０の外部から金庫部１２０へのアクセスが不可能である。金庫部１２０は、紙幣を格納する機能を有する。
【００３７】
図７は、本発明の実施形態に係る自動取引装置１０の筐体内部の概略構成図である。図７に示すように、自動取引装置１０は、制御部２１０と、ＵＰＳ（Ｕｎｉｎｔｅｒｒｕｐｔｉｂｌｅ  Ｐｏｗｅｒ  Ｓｕｐｐｌｙ）２２０と、電源部２３０と、媒体読取装置２４０と、レシートプリンタ２５０と、ジャーナルプリンタ２６０とを筐体内部に備える。また、図７に示すように、自動取引装置１０は、紙幣処理部２７０と金庫部１２０（カセット収納部２８０、カセット２９０および金庫扉３００）とを備える。
【００３８】
制御部２１０は、自動取引装置１０が有する各部の動作を制御する機能を有する。例えば、制御部２１０は、演算装置を含んでおり、記憶装置によって記憶されているプログラムが演算装置によって実行されることによってその機能が実現され得る。演算装置は、ＣＰＵ（Ｃｅｎｔｒａｌ  Ｐｒｏｃｅｓｓｉｎｇ  Ｕｎｉｔ）であってもよい。また、制御部２１０は、専用のハードウェアによって構成されていてもよい。
【００３９】
ＵＰＳ２２０は、電力を蓄積する機能を有し、電源部２３０から自動取引装置１０が有する各部への電力供給が途絶えた場合に、自動取引装置１０が有する各部に電力を供給することが可能である。電源部２３０は、自動取引装置１０が有する各部に電力を供給する機能を有する。媒体読取装置２４０は、媒体挿入口５０から挿入された媒体に記録されているデータを読み取る機能を有する。
【００４０】
レシートプリンタ２５０は、取引明細票としてのレシートを発行する機能を有する。レシートには、自動取引装置１０によって実行された取引種別（例えば、現金の引き出し、現金の預け入れ、振り込みなど）が印刷される。また、例えば、レシートには、操作者の口座番号、取引金額などが印刷される。ジャーナルプリンタ２６０は、レシートプリンタ２５０とほぼ同内容を紙に印刷する機能を有し、取引の事実を証拠として記録する機能を有している。
【００４１】
紙幣処理部２７０は、操作者から投入された紙幣およびカセット２９０から取り出された紙幣を処理する機能を有する。カセット収納部２８０は、カセットを収納する機能を有する。カセット２９０は、紙幣を収納する機能を有する。金庫扉３００は、金庫部１２０のフロント面に存在する扉である。金庫扉３００が開いている状態においては、カセット収納部２８０およびカセット２９０へのアクセスが可能である。一方、金庫扉３００が閉まっている状態においては、カセット収納部２８０およびカセット２９０へのアクセスが不可能である。
【００４２】
図７に示すように、フロントパネル２０は、開方向Ｄ１に回動し得る。フロントパネル２０が開方向Ｄ１に回動すると、自動取引装置１０の外部から、制御部２１０、ＵＰＳ２２０、電源部２３０、媒体読取装置２４０、レシートプリンタ２５０およびジャーナルプリンタ２６０にアクセス可能となる。また、媒体読取装置２４０のトレイは、引き出し方向Ｄ２に引き出され得る。紙幣処理部２７０のトレイは、引き出し方向Ｄ３に引き出され得る。
【００４３】
前面扉１１０は、開方向Ｄ４に回動し得る。前面扉１１０が開方向Ｄ４に回動すると、自動取引装置１０の外部から、紙幣処理部２７０および金庫部１２０にアクセス可能となる。金庫扉３００は、開方向Ｄ５に回動し得る。金庫扉３００が開方向Ｄ５に回動すると、自動取引装置１０の外部から、カセット収納部２８０およびカセット２９０にアクセス可能となる。カセット収納部２８０およびカセット２９０は、引き出し方向Ｄ６に引き出され得る。
【００４４】
以上、本発明の実施形態に係る自動取引装置１０の概要について説明した。
【００４５】
（２．自動取引装置の詳細）
続いて、図８〜図１８を参照しながら、本発明の実施形態に係る自動取引装置１０の詳細について説明する。図８は、本発明の実施形態に係る複数の支持部材とスライドレールとの分解斜視図である。図８に示すように、本発明の実施形態に係る自動取引装置１０は、左側スライドレール３２０Ｌおよび右側スライドレール３２０Ｒと、複数の支持部材の例として、支持部材３３０Ｆ、支持部材３３０Ｂおよび支持部材３４０とを備える。
【００４６】
図８に示した例において、支持部材３３０Ｆ、支持部材３３０Ｂおよび支持部材３４０それぞれの端のうち一端（以下、「左端」とも言う。）は、左側スライドレール３２０Ｌに固定される。一方、支持部材３３０Ｆ、支持部材３３０Ｂおよび支持部材３４０それぞれの端のうち当該一端とは異なる他端（以下、「右端」とも言う。）は、右側スライドレール３２０Ｒに固定される。
【００４７】
より具体的には、支持部材３３０Ｆおよび支持部材３３０Ｂそれぞれの左端は、左側スライドレール３２０Ｌに対して固定具（第１の固定具）３５０によって固定され、支持部材３３０Ｆおよび支持部材３３０Ｂそれぞれの右端は、右側スライドレール３２０Ｒに対して固定具（第２の固定具）３５０によって固定される。
【００４８】
支持部材３３０Ｆ、支持部材３４０および支持部材３３０Ｂそれぞれは、左端付近に固定具３５０が挿通する孔部（第１の孔部）３３１Ｌを有する。また、左側スライドレール３２０Ｌに固定された取り付け部材３２４Ｌは、左側スライドレール３２０Ｌの前端、中央および後端それぞれの付近に突起３２１Ｌを有しており、これらの突起３２１Ｌは、固定具３５０が挿通する挿通孔（第１の挿通孔）３２２Ｌを有する。これらの孔部３３１Ｌおよび挿通孔３２２Ｌを固定具３５０が挿通することにより、支持部材３３０Ｆ、支持部材３４０および支持部材３３０Ｂが左側スライドレール３２０Ｌに取り付けられる。
【００４９】
同様に、支持部材３３０Ｆ、支持部材３４０および支持部材３３０Ｂそれぞれは、右端付近に固定具３５０が挿通する孔部（第２の孔部）３３１Ｒを有する。また、右側スライドレール３２０Ｒに固定された取り付け部材３２４Ｒは、右側スライドレール３２０Ｒの前端、中央および後端それぞれの付近に突起３２１Ｒを有しており、これらの突起３２１Ｒは、固定具３５０が挿通する挿通孔（第２の挿通孔）３２２Ｒを有する。これらの孔部３３１Ｒおよび挿通孔３２２Ｒを固定具３５０が挿通することにより、支持部材３３０Ｆ、支持部材３４０および支持部材３３０Ｂが右側スライドレール３２０Ｒに取り付けられる。
【００５０】
なお、図８には、取り付け部材３２４Ｌと左側スライドレール３２０Ｌとが別部材である例が示されているが、取り付け部材３２４Ｌと左側スライドレール３２０Ｌとは一体化されていてもよい。同様に、図８には、取り付け部材３２４Ｒと右側スライドレール３２０Ｒとが別部材である例が示されているが、取り付け部材３２４Ｒと右側スライドレール３２０Ｒとは一体化されていてもよい。
【００５１】
図９は、本発明の実施形態に係る複数の支持部材とスライドレールとの組み立て後の分解斜視図である。図１０は、本発明の実施形態に係る複数の支持部材に紙幣処理部２７０が載置された様子を示す正面図である。図１１は、本発明の実施形態に係る複数の支持部材に紙幣処理部２７０が載置された様子を示す右側面図である。図１０に示すように、左側スライドレール３２０Ｌおよび右側スライドレール３２０Ｒは、筐体３１０に固定されている。なお、筐体３１０は、紙幣処理部２７０を収納可能な内部空間を形成する。
【００５２】
紙幣処理部２７０は、取引として出金処理が実行されるに際して紙幣を処理する機能を有している。より具体的には、紙幣処理部２７０は、図示しない紙幣挿入口を備えており、紙幣受取口３３５Ｂ（または３３５Ｆ）（図９参照）および図示しない紙幣挿入口を介して挿入された紙幣を集積する。そして、紙幣処理部２７０は、集積した紙幣を認識する。また、紙幣処理部２７０は、紙幣排出口２７１を備えており、認識した紙幣を紙幣排出口２７１から排出する。紙幣排出口２７１から排出された紙幣は、紙幣投入口８０に搬送される。
【００５３】
図１０に示すように、紙幣処理部２７０は、下面に溝部２７２を有しており、管理者が紙幣処理部２７０の位置を支持部材３４０の位置に合わせるようにして紙幣処理部２７０を下降させると、支持部材３４０は、溝部２７２に係合する。そうすれば、必然的に、支持部材３３０Ｆおよび支持部材３３０Ｂの上に紙幣処理部２７０が載置される。このとき、図１０に示すように、紙幣処理部２７０と支持部材３３０Ｆとの間および紙幣処理部２７０と支持部材３３０Ｂとの間は、固定具３５０によって固定されてよい。
【００５４】
図１０および図１１に示すように、支持部材３４０が溝部２７２に係合され、紙幣処理部２７０が支持部材３３０Ｆおよび支持部材３３０Ｂの上に載置された状態においては、紙幣処理部２７０は、左側スライドレール３２０Ｌおよび右側スライドレール３２０Ｒのスライド機構により、支持部材３４０、支持部材３３０Ｆおよび支持部材３３０Ｂとともに前後方向に移動され得る。かかる機構により、管理者は、紙幣処理部２７０を筐体３１０の内側に収納したり、筐体３１０の外側に取り出したりすることが可能である。
【００５５】
以上に説明したように、紙幣処理部２７０の下面の一部にそれぞれ接触する複数の支持部材が利用される場合には、断面二次モーメントを向上させるように断面形状を変更することによって、複数の支持部材に撓みを生じにくくすることが可能となる。また、複数の支持部材に撓みを生じにくくすることによって自動取引装置１０の保守性（または耐久性）の低下を抑えることが可能性となる。また、紙幣処理部２７０の下面の一部にそれぞれ接触する複数の支持部材が利用される場合には、支持部材の重量の増大を抑えられるため、支持部材の組み立て作業などに要する負荷の増加を抑えることが可能である。
【００５６】
また、紙幣処理部２７０の下面の一部にそれぞれ接触する複数の支持部材が利用される場合には、支持部材を形成するために必要となる材料が少なくなるため、支持部材の単価を抑えることが可能となる。加えて、一つ当たりの支持部材を製造するために必要な材料が少なくなるため、材料単位量当たりに製造される支持部材の数が少なくなってしまうという製造性の低下を抑えることが可能となる。
【００５７】
図１２は、本発明の実施形態に係る複数の支持部材に紙幣処理部２７０が載置された様子を示す平面図である。また、図１３は、図１２に示した領域Ｂ（支持部材３４０の右側スライドレール３２０Ｒへの連結部位）の拡大図である。図１３に示すように、支持部材３４０が取り付け部材３２４Ｒに取り付けられることによって、支持部材３４０が右側スライドレール３２０Ｒに固定される。
【００５８】
図１４は、図１２に示した領域Ｃ（支持部材３３０Ｆの左側スライドレール３２０Ｌへの連結部位）の拡大図である。図１４に示すように、固定具３５０が挿通する孔部３３１Ｌは、支持部材３３０Ｆの短手方向より長手方向に大きいのがよい。そうすれば、筐体３１０のサイズなどに応じて生じるばらつきを吸収することが可能となるため、支持部材３３０Ｆが歪んでしまったり、支持部材３３０Ｆが浮いてしまったりする可能性を低減することができる。
【００５９】
図１５は、図１２に示した領域Ｄ（支持部材３３０Ｆの右側スライドレール３２０Ｒへの連結部位）の拡大図である。図１５に示すように、固定具３５０が挿通する孔部３３１Ｒは、支持部材３３０Ｆの短手方向と長手方向とが等しい長さを有していてよい。あるいは、固定具３５０が挿通する孔部３３１Ｒは、支持部材３３０Ｆの短手方向の長さと長手方向の長さとが異なっていてもよい。
【００６０】
なお、ここでは、固定具３５０が挿通する孔部３３１Ｌが、支持部材３３０Ｆの短手方向より長手方向に大きい場合を説明したが、かかる例に限定されない。例えば、固定具３５０が挿通する挿通孔３２２Ｌ（図８参照）、固定具３５０が挿通する挿通孔３２２Ｒ（図８参照）、支持部材３３０Ｆ、支持部材３４０および支持部材３３０Ｂそれぞれの左端付近の孔部３３１Ｌ、支持部材３３０Ｆ、支持部材３４０および支持部材３３０Ｂそれぞれの右端付近の孔部３３１Ｒの少なくとも一つが、支持部材３３０Ｆ（あるいは支持部材３３０Ｂ）の短手方向より長手方向に大きければよい。
【００６１】
上記においては、支持部材３３０Ｆおよび支持部材３３０Ｂの断面形状が、下面部分が存在しないＣ字型形状であり、支持部材３４０の断面形状が、中実の円形状である場合について説明した。しかし、断面二次モーメントを向上させるように断面形状を変更するのであれば、これらの支持部材の断面形状は特に限定されない。例えば、図１６に示したように、Ｈ字型であってもよい。あるいは、これらの支持部材の断面形状は、図１７に示すように、四方が囲まれた口字型であってもよいし、図１８に示すように、中実の角柱形状であってもよい。
【００６２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６３】
例えば、上記では、紙幣処理部２７０が複数の支持部材によって支持される例を説明したが、紙幣処理部２７０の代わりに他の処理部が複数の支持部材によって支持されてもよい。例えば、取引が実行されるに際して自動取引装置１０の動作を制御する制御部２１０が複数の支持部材によって支持されてもよい。あるいは、取引の明細を示す取引明細票を印刷して出力するレシートプリンタ２５０が複数の支持部材によって支持されてもよい。
【００６４】
あるいは、取引として入金処理または出金処理が実行されるに際して、入金される紙幣を収納し、または、出金される紙幣を繰り出すカセット２９０が複数の支持部材によって支持されてもよい。すなわち、取引に関連する所定の処理を実行する何らかの処理部が、紙幣処理部２７０の代わりに複数の支持部材によって支持されてもよい。特に、スライドレールに固定されて移動可能な処理部が支持される場合には、支持部材の撓みが変化しやすいため、本発明の実施形態に係る複数の支持部材がより有効に適用され得る。
【００６５】
また、上記においては、複数の支持部材として、３つの支持部材が用いられる例を説明したが、複数の支持部材は、かかる例に限定されない。例えば、複数の支持部材として、２つの支持部材が用いられてもよいし、４つ以上の支持部材が用いられてもよい。また、支持部材の種類も限定されない。例えば、紙幣処理部２７０を載置するための２つの支持部材（例えば、支持部材３３０Ｆ、支持部材３３０Ｂなど）が用いられればよい。それらに加えて、上記した例のように、紙幣処理部２７０の溝部２７２に係合する支持部材３４０が用いられてもよい。
【００６６】
また、上記においては、自動取引装置１０が、処理部を支持する複数の支持部材を有する例について説明した。しかし、支持部材が不要な場合も存在し得る。例えば、図１に示した例においては、電源部２３０が筐体内部の左右壁にブラケットを介して固定されるため、電源部２３０の支持部材は存在しなくてよい。また、筐体幅と電源部２３０の幅とが略同一であれば、電源部２３０が支持部材として機能し、電源部２３０の上に所定の処理部（図１に示した例では、制御部２１０、ＵＰＳ２２０など）が載置され得る。これにより、処理部の支持部材を改めて設けなくてよいため、大幅なコストダウンが実現される他、電源部２３０によって筐体が補強されるため、筐体の強度が向上するといった効果も奏し得る。
【符号の説明】
【００６７】
１０    自動取引装置
２０    フロントパネル
３０    背面ミラー
４０    操作パネル
５０    媒体挿入口
６０    レシート排出口
７０    操作部
８０    紙幣投入口
９１    認証部
９２    バーコードリーダ
１００  非接触ＩＣカードリーダ
１１０  前面扉
１２０  金庫部
２１０  制御部
２２０  ＵＰＳ
２３０  電源部
２４０  媒体読取装置
２５０  レシートプリンタ
２６０  ジャーナルプリンタ
２７０  紙幣処理部
２７１  紙幣排出口
２７２  溝部
２８０  カセット収納部
２９０  カセット
３００  金庫扉
３１０  筐体
３２０Ｌ  左側スライドレール
３２０Ｒ  右側スライドレール
３２１Ｌ  突起
３２１Ｒ  突起
３２２Ｌ  挿通孔
３２２Ｒ  挿通孔
３２４Ｌ  取り付け部材
３２４Ｒ  取り付け部材
３３０Ｆ  支持部材
３３０Ｂ  支持部材
３３１Ｌ  孔部
３３１Ｒ  孔部
３４０  支持部材
３５０  固定具
【図１】
2016170551.tif 000003
【図２】
2016170551.tif 000004
【図３】
2016170551.tif 000005
【図４】
2016170551.tif 000006
【図５】
2016170551.tif 000007
【図６】
2016170551.tif 000008
【図７】
2016170551.tif 000009
【図８】
2016170551.tif 000010
【図９】
2016170551.tif 000011
【図１０】
2016170551.tif 000012
【図１１】
2016170551.tif 000013
【図１２】
2016170551.tif 000014
【図１３】
2016170551.tif 000015
【図１４】
2016170551.tif 000016
【図１５】
2016170551.tif 000017
【図１６】
2016170551.tif 000018
【図１７】
2016170551.tif 000019
【図１８】
2016170551.tif 000020